Podtech/llm-jp-corpus-v4-ja_patent huggingface dataset:
(57)【要約】      （修正有）【課題】屋根上の除雪作業時、その労力を省き、人の転落事故等を排除して雪おろしが出来るようにする形状可変マットを提供する。【解決手段】空気を抜くと平坦になり空気を入れると傾斜面を持つ立体に変形する気密性マットを屋根上に置く。マットの表面を傾斜化して積雪面の勾配が大きくなると雪はすべり易くなり自重で屋根から落下する。【選択図】図２
0003171434.tif 000002
【実用新案登録請求の範囲】
【請求項１】
空気注入により傾斜面を持つ立体に変形する気密性マット
【考案の詳細な説明】
【考案の詳細な説明】
【産業上の利用分野】
【０００１】本考案は屋根の除雪に関するものである
【背景技術】
【０００２】人力でスコップ等を使って屋根の除雪をしている
【考案が解決しようとする課題】
【０００３】屋根の除雪作業時に積雪面の勾配を大きくして雪を滑り落とす様にしたい
【課題を解決するための手段】
【０００４】空気を抜くと平坦になり、空気を入れると表面が傾斜した立体に変形する気密性マットを屋根上に置く
【作用】
【０００５】マット上に積もった雪を除雪するにはマットに空気を注入して傾斜立体に変形させ大きくなった勾配に抗しきれず雪の自重により滑り落ちる様にする
【実施例】
【０００６】以下、本考案の一実施例について説明する
図１において、空気を抜いた状態の本考案のマットの略視図である
１のマット表面は２のマット裏面と重なって屋根上に置かれ３の取付け紐により建屋に固定されている。ナイロン布地等を使用した気密袋である【０００７】図２において、空気を入れた状態の本考案のマットの略視図である
１のマット表面は２のマット裏面に対して傾斜して膨らむ様に４の側面を形成する【０００８】５の空気注入管から空気を出し入れする。マット表面にも６の小穴の空気逃がし孔を設けて膨らみ過ぎない様にする
【考案の効果】
【０００９】本考案のマットを積雪の前に屋根上に設置し除雪したい時に空気を入れて形状を変えてマット表面の勾配を大きくして雪が滑り落ちる様にする
【図面の簡単な説明】
【００１０】
【図１】  本考案の実施例の略視図である
【図２】  本考案の実施例の略視図である
【符号の説明】
【００１１】  １    マット表面
２    マット裏面
３    取付け紐
４    マット側面
５    空気注入管
６    空気逃がし孔
【図１】
0003171434.tif 000003
【図２】
0003171434.tif 000004
【手続補正書】
【提出日】平成23年8月11日(2011.8.11)
【手続補正１】
【補正対象書類名】実用新案登録請求の範囲
【補正対象項目名】全文
【補正方法】変更
【補正の内容】
【実用新案登録請求の範囲】
【請求項１】
内側で各辺及び各面を定寸法の膨張制限用の帯で結び空気を入れて傾斜面を持つ立体に変形させる気密性マット
【手続補正２】
【補正対象書類名】明細書
【補正対象項目名】全文
【補正方法】変更
【補正の内容】
【考案の詳細な説明】
【産業上の利用分野】
【０００１】本考案は屋根の除雪時に使用するマットに関するものである
【背景技術】
【０００２】人力でスコップ等を使って屋根の除雪をしている
【考案が解決しようとする課題】
【０００３】袋状の気密マットに空気を入れる時、丸く膨らむのを定型の立体に膨らむ様にしたい
【課題を解決するための手段】
【０００４】空気を入れて膨らます時丸く変形しない様に各辺及び各面を定寸法の帯で結び又マットは予め膨らみきった時に傾斜した立体に成る寸法で裁断成形する
【作用】
【０００５】帯は伸縮の少ない織物等を使用しマットが定寸法以上に膨らまない様に引っ張りあい所定の形状になる
【実施例】
【０００６】以下、本考案の一実施例について説明する
図１において、空気を入れた状態の本考案のマットの上面平面図である
１のマット表面の３の空気注入管から空気を出し入れする。マット表面には２の小穴の空気逃がし孔を設けて膨らみ過ぎない様にする【０００７】図２において、空気を入れた状態の本考案のマットの側面図である
１のマット表面は４のマット裏面に対して傾斜して膨らむ様に側面を裁断形成する。空気を抜くと点線部分がマットの内側に折れ込む様に裁断形成する【０００８】図３において、空気を入れた状態の本考案の正面図である
空気を抜いて行くと点線に沿って内側に折れ込んで行く様に裁断形成する【０００９】図４において、マット表面を外して側面と正面が定寸以上に膨らまない様に対辺を引っ張り合う帯を図示した視図である。５は正面中心線の固定用、６は正面底辺の固定用、７は側面中心線の固定用の帯である。【００１０】図５において、マット正面を外して１の表面と４の裏面が定寸以上に膨らまない様に対辺と対面を引っ張り合う８の帯を図示した視図である【００１１】図６において、空気を入れた状態の略視図である。空気を抜いていくと側面と正面は点線に沿ってマットの内側に折り込まれてマットの表面と裏面の仰角は小さくなっていく
【考案の効果】
【００１２】本考案のマットを積雪の前に屋根上に設置し除雪したい時に空気を入れて形状を変えてマット表面の勾配を大きくして雪が滑り落ちる様にする
【図面の簡単な説明】
【００１３】
【図１】  本考案の実施例の平面図である
【図２】  本考案の実施例の空気を入れて定型になった略視図である
【図３】  本考案の実施例の正面図である
【図４】  本考案の実施例の内部の帯の張り渡し図である
【図５】  本考案の実施例の内部の帯の張り渡し図である
【図６】  本考案の実施例の側面図である
【符号の説明】
【００１４】  １    マット上部表面
２    空気逃がし小孔
３    空気出し入れ管
４    マット下部裏面
５    正面中心膨張制限用の帯
６    マット下部膨張制限用の帯
７    側面中心膨張制限用の帯
８    上部表面と下部裏面の膨張制限用の帯
【手続補正３】
【補正対象書類名】図面
【補正対象項目名】全図
【補正方法】変更
【補正の内容】
【図１】
0003171434.tif 000005
【図２】
0003171434.tif 000006
【図３】
0003171434.tif 000007
【図４】
0003171434.tif 000008
【図５】
0003171434.tif 000009
【図６】
0003171434.tif 000010
(57)【要約】      （修正有）【課題】プランターの底を大きく格子状、又は菱形格子状に開け支柱を地中に深く差し込むエコプランターを提供する。【解決手段】地上に設置する。しかし受皿を置くことにより、コンクリート上でも、使用可能となる。又植込み時には、ダンボールや新聞紙等で底面をふさぎ、一時的に土もれを防ぐ。地下で保たれた水分があるため頻繁に水やりをしなくて済み、水の使用量が少なく押えられエコにつながる。又支柱は縦・斜と差し込めることにより強度を増し蔓物や背丈の高くなる植物をしっかり止めることが出来、日影を広く作ることが容易である。室温の上昇を緩和しエコ作用が生れる。【選択図】図５
0003171435.tif 000002
【実用新案登録請求の範囲】
【請求項１】
プランターの底穴を格子状又は菱形格子状に開けたことを特徴とする支柱らくらくエコプランター
【請求項２】
プランターの対向する２側面に長穴を開けたことを特徴とする請求項１記載の支柱らくらくエコプランター
【考案の詳細な説明】
【技術分野】
【０００１】本発明は家庭で野菜や草花など植物を育てるためのプランターに関するものである。
【背景技術】
【０００２】従来、プランターは、底面に小数の小穴が開いており、そこへ土を入れて、植物を育てていた。また植物を枯れさせないために水を定期的に撒いていた。
【考案の解決しようとする課題】
【０００３】従来のプランターに植えられた野菜や草花はすぐに水不足になり易く、水やりが大変です。又支柱についても２０ｃｍ〜３０ｃｍの深さの土では、しっかりした設置は出来ず不安定である。
【課題を解決するための手段】
【０００４】地上であるならば雨による浸透や散水は地下でプランター以上に保つことが出来る。
支柱においては底穴をつきぬけ、より深く差し込める。
【考案の効果】
【０００５】地下で保たれた水分があるため頻繁に水やりをしなくて済み、水の使用量が少なく押えられエコにつながる。又支柱は縦・斜と差し込めることにより強度を増し蔓物や背丈の高くなる植物をしっかり止めることが出来日影を広く作ることが容易である。室温の上昇を緩和しエコ作用が生れる。
【考案を実施するための形態】
【０００７】従来のプランターの底を大きく格子状、又は菱形格子状に開け支柱を地中に差し込むことを目的とする。
このことによって、支柱がしっかりする。また、プランターの底が空いていることにより水が無駄なく浸透し水やりが少なくて済む。
【０００８】支柱をより強度に保つ為に、対向する２側面に細長い穴を開ける。この為斜めに支柱が刺せ、横ブレを防ぐ
【図１】
0003171435.tif 000003
【図２】
0003171435.tif 000004
【図３】
0003171435.tif 000005
【図４】
0003171435.tif 000006
【図５】
0003171435.tif 000007
【手続補正書】
【提出日】平成23年8月10日(2011.8.10)
【手続補正１】
【補正対象書類名】実用新案登録請求の範囲
【補正対象項目名】全文
【補正方法】変更
【補正の内容】
【実用新案登録請求の範囲】
【請求項１】
・プランターの底面を格子状又は菱形格子状に開けたことを特徴とするプランター
【請求項２】
プランターの対向する２側面に長穴を開けたことを特徴とする請求項１に記載のプランター
【手続補正２】
【補正対象書類名】明細書
【補正対象項目名】全文
【補正方法】変更
【補正の内容】
【考案の詳細な説明】
【技術分野】
【０００１】本発明は家庭で野菜や草花など植物を育てる為のプランターに関するものである。
【背景技術】
【０００２】従来プランターは底面に少数の小穴が開いていて、そこへ土を入れて、植物を育てている。また植物を枯れさせないために定期的に水を撤いている。
【考案の解決しようとする課題】
【０００３】従来のプランターに植えられた野菜や草花はすぐに水不足になり易く、水やりが大変です。又支柱についても２０ｃｍ〜２５ｃｍの深さの土ではしっかりした設置は出来ず、不安定である。
【課題を解決するための手段】
【０００４】地上であるならば雨による浸透や散水は、地中で、プランター以上に保つことが出来る。
支柱においては、大きく開いた底穴をつきぬけ、より深く差し込める。
【考案の効果】
【０００５】地下で保たれた水分があるため頻繁に水やりをしなくて済み水の使用量が少なく押えられ、エコにつながる。又支柱は縦・斜と差し込めることにより、強度を増し蔓物や背丈の高くなる植物をしっかり止めることが出来、日影を広く作ることが容易である。室温の上昇を緩和し、エコ作用が生れる。
【考案を実施するための形態】
【０００６】従来のプランターの底を大きく格子状又は菱形格子状に開け、支柱を地中に差し込むことを目的とする。
このことによって、支柱がしっかりする。又、プランターの底が空いていることにより水が無駄なく浸透し水やりが少なくて済む。
【０００７】支柱をより強度に保つ為に対向する２側面に細長い穴を開ける。この為斜めに支柱が刺せ、横ブレを防ぐ。
【図面の簡単な説明】
【０００８】
【図１】立体図
【図２】側面図
【図３】格子状底面図
【図４】菱形格子状底面図
【図５】設置図
【手続補正４】
【補正対象書類名】図面
【補正対象項目名】全図
【補正方法】変更
【補正の内容】
【図１】
0003171435.tif 000008
【図２】
0003171435.tif 000009
【図３】
0003171435.tif 000010
【図４】
0003171435.tif 000011
【図５】
0003171435.tif 000012
(57)【要約】【課題】自動車及びオートバイや建造物の内外装を容易にチェック柄の模様に装飾することができる様々な色やサイズの立体パネルを提供する。【解決手段】自動車及びオートバイや建造物の内外装を組み合わせによりオリジナルのチェック柄の模様を容易に装飾することができる様々なサイズや色の立体パネルで、立体にすることで誰でも容易に貼り付けすることができ、耐候性に優れ曲面にも容易に貼り付けることができ余分な部分を容易にカットすることができる柔軟な素材を使用している装飾部品である。【選択図】図１
0003171439.tif 000002
【実用新案登録請求の範囲】
【請求項１】
自動車及びオートバイや建造物の内外装を組み合わせによりオリジナルのチェック柄の模様を容易に装飾することができる様々なサイズや色の立体的パネルで、耐候性に優れ曲面にも容易に貼り付けることができ余分な部分を容易にカットすることができる柔軟な素材を使用していることを特徴とする装飾部品。
【考案の詳細な説明】
【技術分野】
【０００１】
本考案は、自動車及びオートバイや建造物の内外装に立体パネルを貼り合わせることで容易にチェック柄の模様に装飾するものである。
【背景技術】
【０００２】
自動車及びオートバイや建造物の内外装をチェック柄の模様に装飾するというのは個人で施工するには困難である為、高額な費用をかけ専門業者に依頼していた。またカッティングシート等のようなシールを貼ることによりチェック柄の模様を施しても、自動車及びオートバイや建造物の外装は使用上どうしても雨風等による汚れの付着、紫外線や温度変化による劣化など耐久性の問題があり、施工段階にはきれいに仕上がっていても短期間で外観を損ねていた。その対策として自動車用塗料クリアー等でコーティングすることも可能だが、その方法では一度施工すると元に戻すには容易なことではないし個人では施工できない。またカッティングシートのような薄手のシールは個人では貼りにくく失敗することも多い。また様々な色を組み合わせたチェック柄の模様に装飾するには非常に困難で、またコストも高くなる。
【考案の概要】
【考案が解決しようとする課題】
【０００３】
高額な費用をかけずに自動車及びオートバイや建造物の内外装に耐候性素材の立体パネルを貼り合わせることでチェック柄の模様を個人でも容易に装飾することができる様々な色とサイズの立体パネルを提供するものである。
【課題を解決するための手段】
【０００４】
本考案は、立体パネルを粘着テープで貼り合わせる事により誰でも容易に自動車及びオートバイや建造物の内外装をチェック柄の模様に装飾することができる。また様々な色とサイズの立体パネルを貼り合わせることで多彩でオリジナルなチェック柄の模様を装飾することができる。
【０００５】
立体パネルには耐候性に優れ紫外線に耐性を持つ素材を採用することにより耐久性が向上する。
【０００６】
立体にすることで強度も増し個人でも容易に貼り付けることが可能となる。
【０００７】
自動車及びオートバイや建造物の内外装は曲面が多い為、曲面にも貼りやすいように柔軟性のあるゴム及び合成樹脂素材を使用する。
【０００８】
余分な部分は、はさみ等で個人でも容易にカットすることができる素材を使用する。
【０００９】
元に戻す場合は、立体パネルを剥がすだけでよい。粘着テープで貼り付けている為、貼り付けしている対象物の材質にもよるが比較的、貼り付け面を傷めずに取り外すことができ元に戻すことが可能となる。
【考案の効果】
【００１０】
耐候性に優れ紫外線にも耐性のある素材でできた立体パネルを貼り合わせる事により個人でも容易にチェック柄の模様を装飾することが可能となる。柔軟性があるので曲面にも容易に貼れ、余分な部分は、はさみ等で容易にカットすることができるので個人でも容易に貼り合わす事ができる。
【００１１】
自由に貼り合わす事ができる為、オリジナルのチェック柄の模様を装飾することが可能となる。またサイズや色を自由に選択できる為、個人の感性でオリジナルで多彩なチェック柄の模様の装飾が可能となる。
【図面の簡単な説明】
【００１２】
【図１】立体パネルの形状の説明図である。
【図２】立体パネルを使いチェック柄の模様の装飾方法を示した説明図である。
【図３】立体パネルを曲面に貼り付けを示した説明図である。
【図４】立体パネルをカットして貼り付ける装飾方法を示した説明図である。
【考案を実施するための形態】
【００１３】
図1のように容易に貼り付けやすくする為に、立体的なパネルにした。
【００１４】
貼り付けには粘着テープを使用する。
【００１５】
立体パネルの素材には耐候性に優れ紫外線に耐性のある素材を使用する。
【００１６】
曲面にも容易に貼り付けられるように柔軟な素材を使用する。
【００１７】
余分な部分を容易にカットすることができる素材を使用する。
【実施例】
【００１８】
図２は、組み合わせにより様々なチェック柄の模様の装飾ができる実施例である。
【００１９】
図３の実施例は曲面にも容易に貼ることができる実施例である。
【００２０】
図４の実施例は余分な部分をカットして貼り付ける実践例である。
【産業上の利用可能性】
【００２１】
自動車及びオートバイや建造物を新たに買い替える必要も無く、また高額な費用をかけることなく、自動車及びオートバイや建造物をチェック柄の模様に装飾することが可能となる。
また組み合わせによりオリジナルで多彩なチェック柄の模様に装飾することが可能となる。
【図１】
0003171439.tif 000003
【図２】
0003171439.tif 000004
【図３】
0003171439.tif 000005
【図４】
0003171439.tif 000006
【手続補正書】
【提出日】平成23年7月20日(2011.7.20)
【手続補正１】
【補正対象書類名】実用新案登録請求の範囲
【補正対象項目名】全文
【補正方法】変更
【補正の内容】
【実用新案登録請求の範囲】
【請求項１】
自動車及びオートバイや建造物の内外装を組み合わせによりオリジナルのチェック柄の模様を容易に装飾することができる様々なサイズや色の立体的パネルで、耐候性に優れ曲面にも容易に貼り付けることができ余分な部分を容易にカットすることができる柔軟なゴム及び合成樹脂素材を使用していることを特徴とする立体的パネルの装飾部品。
【手続補正書】
【提出日】平成23年8月23日(2011.8.23)
【手続補正１】
【補正対象書類名】実用新案登録請求の範囲
【補正対象項目名】全文
【補正方法】変更
【補正の内容】
【実用新案登録請求の範囲】
【請求項１】
様々なサイズや色の四角形に模った基材（シール及びシート）に耐候性や柔軟性に優れた合成樹脂でポッティング加工をした立体的パネルで、曲面にも容易に貼り付けることができ余分な部分を容易にカットすることができ、自動車及びオートバイや建造物の内外装を組み合わせによりオリジナルのチェック柄の模様を容易に装飾することができることを特徴とする装飾部品。
(57)【要約】      （修正有）【課題】簡単な構造で、名刺を一枚ずつ簡単に取り出せる名刺ケースを提供する。【解決手段】名刺ケース本体ふたの中央に、指で名刺を押し出せるくらいの穴を設け、名刺ケース内に名刺１枚分が通過可能なスキマを上端の出口に設け、スロープした形状の滑りにくい材料を使用し、片方を下端に取り付けもう片方を出口に向けて取り付け、スロープした形状により１枚ずつ出口の方にスライドさせて取り出せる。【選択図】図２
0003171461.tif 000002
【実用新案登録請求の範囲】
【請求項１】
名刺ケース本体ふたの中央に、指で名刺を押し出せるくらいの穴を設け、名刺ケース内に名刺１枚分が通過可能なスキマを上端の出口に設け、スロープした形状の滑りにくい材料を使用し、片方を下端に取り付けもう片方を出口に向けて取り付け、ケース内に重ねてある名刺を、スロープした形状により１枚づつ出口の方にスライドさせて取り出せる事を特徴とする名刺ケース。
【考案の詳細な説明】
【技術分野】
【０００１】  本考案は、名刺ケースに関係するものである。
【背景技術】
【０００２】  一般に名刺を出す時に、名刺ケース内から、何枚も重ねた名刺を１枚１枚取り出すのは面倒であるとともに、取り出す時に名刺が滑り１枚が取り出しにくい。
【考案の開示】
【考案が解決しようとする課題】
【０００３】  名刺ケース内に重ねてある名刺を、簡易な構造で１枚１枚が簡単に取り出す事を課題とする。
【課題を解決するための手段】
【０００４】  以上の課題を解決するために、名刺ケース本体ふたの中央に、指で名刺を押し出せるくらいの穴を設け、名刺ケース内に名刺１枚分が通過可能なスキマを上端の出口に設け、スロープした形状の滑りにくい材料を使用し、片方を下端に取り付けもう片方を出口に向けて取り付け、ケース内に重ねてある名刺を、スロープした形状により１枚づつ出口の方にスライドさせて取り出せる事を特徴とする名刺ケース。
【考案の効果】
【０００５】  本考案の名刺ケースは、名刺ケース内から複数の名刺を、一枚づつ簡単に取り出せる、便利な名刺ケースである。
【考案を実施するための最良の形態】
【０００６】この考案を図によって説明すると、名刺ケース本体（１）中央に指で名刺（６）を押し出せるくらいの穴（２）を設け、名刺ケース（１）内の重なって入ってる名刺（６）を、スロープした形状の滑りにくい材料（５）を使用し、指で押す事によりほぐせるようにし、名刺１枚分が通過可能なスキマ（４）から１枚づつ出るようになる名刺ケース。
【図面の簡単な説明】
【０００７】
【図１】全体斜視図
【図２】側面の断面図
【図３】使用の側面断面図
【符号の説明】
【０００８】１  名刺ケース本体
２  名刺を押し出せるくらいの穴
３  名刺１枚分が通過可能なスキマ
４  スロープした形状の滑りにくい材料
５  名刺
【図１】
0003171461.tif 000003
【図２】
0003171461.tif 000004
【図３】
0003171461.tif 000005
(57)【要約】      （修正有）【課題】ＬＥＤ照明管であって、高周波点灯蛍光灯にＨＦ蛍光灯と差し替えて使用できるようにしたＬＥＤ照明管を提供する。【解決手段】高周波点灯蛍光灯の電子式安定器から約５０ＫＨｚの２００Ｖ程度の高周波電源が両端の電極２に供給される。この電源の片側はゲートのないトライアックＳＳＳ等の半導体スイッチ素子４を通して整流素子５に送られ、反対側の電極２から電子式安定器からの高周波電源の片側は８のインダクター等の電流制御素子を通して整流素子５に送られ、高周波電源は直流に変換される。この直流電源は定電流素子６を通してＬＥＤ７に供給されてＬＥＤ７が点灯する。【選択図】図１
0003171446.tif 000002
【実用新案登録請求の範囲】
【請求項１】
ＬＥＤ点灯回路に半導体のスイッチング素子を組み込むことを特徴とするＬＥＤ照明管。
【請求項２】
半導体スイッチング素子を組み込んだＬＥＤ点灯回路及びＬＥＤ素子を従来の蛍光管と同等の形状にすることを特徴とする請求項１記載のＬＥＤ照明管。
【考案の詳細な説明】
【技術分野】
【０００１】本考案は、ＬＥＤの照明管で、高周波点灯蛍光灯にＨＦ蛍光管と差し替えて使用できるようにしたＬＥＤ照明管に関するものである。
【背景技術】
【０００２】従来の高周波点灯蛍光灯のＨＦ蛍光管は、効率の良い照明管であるが、使用する蛍光管の寿命は２０００時間程度であった。長寿命で、省電力化が図れるＬＥＤ素子を使った高周波点灯蛍光灯用のＨＦ蛍光管型のＬＥＤ照明管が望まれていた。
【考案の概要】
【考案が解決しようとする課題】
【０００３】しかしながら、高周波点灯蛍光灯では放電現象を伴わない照明管では、内部の電子式安定器が正常に動作せずに、点灯しなかった。そこで、この考案は、高周波点灯蛍光灯で点灯するＬＥＤ照明管を提供することを課題とする。
【課題を解決するための手段】
【０００４】  以上の課題を解決するために、第一考案は、ＬＥＤ照明の電気回路にサイリスタ、トライアックやサイダック等の半導体スイッチング素子を組み込むことを特徴とするＬＥＤ照明管である。【０００５】また、第二考案は、ＬＥＤの発光素子と半導体スイッチ回路を含むＬＥＤ点灯回路を従来の蛍光管と同等の１本の管内に設けたことを特徴とするＬＥＤ照明管である。
【考案の効果】
【０００６】第一考案、または第二考案によれば、従来のＨＦ蛍光管と同等に扱えるＬＥＤ照明管となり、高周波点灯蛍光灯に組み込むことが出来、ＬＥＤの長寿命化効果と省電力効果を生かした照明管となる。
【図面の簡単な説明】
【０００７】
【図１】この考案の一実施形態を示す系統図である。
【図２】この考案の一実施形態を示す構造図である。
【考案を実施するための形態】
【０００８】この考案の一実施形態を、図１に示す。高周波点灯蛍光灯の電子式安定器から約５０ＫＨｚの２００Ｖ程度の高周波電源が両端の電極２供給される。
この電源の片側はゲートのないトライアックＳＳＳ（Ｓｉｌｉｃｏｎ  Ｓｙｍｍｅｔｒｉｃａｌ  Ｓｗｉｔｃｈ）のサイダック等の半導体スイッチ素子４を通して５の整流素子に送られ、反対側の電極２から電子式安定器からの高周波電源の片側は８のインダクター等の電流制御素子を通して５の整流素子に送られ、高周波電源は直流に変換される。この直流電源は定電流素子６を通してＬＥＤ７に供給されてＬＥＤ７が点灯する。ＳＳＳ等の半導体スイッチ素子４は高周波点灯蛍光灯の電子安定器からの高圧な高周波電源において、ある程度電圧が高くなったところで導通状態になり、逆極性になったところでオフ状態になる。さらに、この逆極性になってある程度電圧が高くなったところでＳＳＳ等のスイッチ素子は導通状態になり、また逆極性になった時にオフ状態になる。この様にＳＳＳ等のスイッチ素子は、高周波蛍光灯の電子式安定器の高周波電源の周波数ごとにスイッチ動作を繰返す。この動作は、放電式の蛍光灯と同等の動作となり、このスイッチ動作で高周波蛍光灯の電子式安定器は連続した動作をすることが出来て、電子式安定器から高圧な高周波電源が連続的に供給され、ＬＥＤ７は連続的に点灯して、ＬＥＤ照明として働くＬＥＤ照明管となる。
抵抗３は電極２の２つの電極間で数Ωの抵抗で、蛍光管のヒータの擬似ヒータとなる。この擬似ヒータの抵抗２がないと電子式安定器が蛍光管等の負荷がないと判定して、動作しないことがあるために設けてある。
［実施形態の効果］
【０００９】この実施形態によれば、従来のＨＦ蛍光管と同等の扱いで、当考案のＬＥＤ照明管が使える。さらにＬＥＤ素子を使う当考案のＬＥＤ照明管では、長寿命になり、さらに省電力化が図れ、発熱も少なくなり、省エネ化が図れる。
［他の実施形態］
【００１０】図１の実施形態では、４の半導体スイッチ素子としてＳＳＳを例に挙げたが、ショットキーダイオード等の他の半導体スイッチ素子でもよい。
擬似ヒータ用に抵抗３を用いているが、インダクター等の他の素子でも良い。電流制御用にインダクター８を用いているが、抵抗又はコンデンサーでもよい。６のＬＥＤ点灯回路部は定電流回路でなく、定電圧回路でもよく、又は省略してもよい。
回路構成で、５の整流回路部、６のＬＥＤ点灯回路部は複数設けてもよい。
また１１のプリント基板は、整流回路やＬＥＤ点灯回路と７のＬＥＤが載った部分と、基板は分離したものでも一体としたものでもよい。
左右の電極２の配線はＬＥＤ基板上のパターンでよいし、１０のアルミベースの内部を通して配線する構成でもよい。
擬似ヒータの抵抗３は電子式安定器の動作のために設けてあるが、電子式安定器によってはこの擬似ヒータが無くても電子式安定器として動作するものがある。この場合は、この擬似ヒータに抵抗２は無くてもよい。
【符号の説明】
【００１１】  １  ＬＥＤ照明管本体
２  電極
３  擬似ヒータ用抵抗素子
４  半導体スイッチング素子
５  整流素子
６  定電流半導体素子
７  ＬＥＤ素子
８  電流制御素子
９  ＬＥＤ照明管サイドカバー
１０  アルミベース
１１  プリント基板
１２  電極接続線
【図１】
0003171446.tif 000003
【図２】
0003171446.tif 000004
【手続補正書】
【提出日】平成23年8月16日(2011.8.16)
【手続補正１】
【補正対象書類名】実用新案登録請求の範囲
【補正対象項目名】請求項１
【補正方法】変更
【補正の内容】
【請求項１】
高周波蛍光灯の電子式安定器の出力電源に接続してＬＥＤを点灯させる直流電源に変換するＬＥＤ点灯回路の構成部品として半導体スイッチング素子を組込み、プリント基板に実装して管状ケースに組込むことを特徴とするＬＥＤ照明管。
(57)【要約】      （修正有）【課題】カバーがずれにくく、しわがつきにくいカバーリング椅子を提供する。【解決手段】カバーの内部に引き込む為の布を縫いつけ、カバーの端部分と引き込む為の布の端部分に面ファスナーをつけ、椅子本体の背と座の接合部分に作られた隙間にカバー内部の引き込み布を通して引っ張り、面ファスナーでカバーを椅子本体にとめて固定する。【選択図】図２
0003171442.tif 000002
【実用新案登録請求の範囲】
【請求項１】
椅子本体の背と座の接合部分に隙間を作る
カバーの内部に引き込む為の布を縫いつけ、カバーの端部分と引き込む為の布の端部分にマジックテープをつける。
【請求項２】
カバーを被せる際に、椅子本体の背と座の接合部の隙間にカバー内部の引き込み布を通して引っ張り、マジックテープでカバーを椅子本体にとめる。
【考案の詳細な説明】
【技術分野】
【０００１】本考案はカバーリングチェアにおけるカバーと取り付け方法に関する。
【背景技術】
【０００２】従来は椅子本体の形状に合わせたカバーを被せるだけのようになっている。【０００３】しかしながら従来の方法では座ったり立ったりする時にカバーがずれたりカバーにシワがつきやすい。
【先行技術文献】
【特許文献】
【０００４】
【特許文献１】
【非特許文献】
【０００５】
【非特許文献１】
【考案の概要】
【考案が解決しようとする課題】
【０００６】本考案は、以上のような従来の欠点に鑑み、カバーがずれたり、シワがつきにくくする事を目的としている。
【課題を解決するための手段】
【０００７】上記目的を達成するために、本考案は、椅子本体の背と座の接合部分に隙間をつくり、カバーに引き込み布を縫いつけ、マジックテープをつける。
カバーを被せる際に、背と座の接合部分の隙間に引き込み布を通して引っ張りマジックテープで椅子本体とカバーをとめることでカバーリングチェアにおけるカバーと取り付け方法を構成している。
【考案の効果】
【０００８】カバーをマジックテープでとめることによりカバーがずれる事を防ぎ、椅子本体とぴったりフィットすることでシワがつきにくくなる。
【図面の簡単な説明】
【０００９】
【図１】本考案を実施するため椅子本体の座と背の接合部の図である
【図２】本考案を実施するためのカバーの図である
【図３】本考案を実施するためのカバーを椅子の被せる行為の図である
【図４】本考案を実施するためのカバーを椅子本体にとめる行為の図である
【考案を実施するための形態】
【００１０】以下本考案の実施の形態を図に基づいて説明する
【実施例】
【００１１】図１の背と座の接合部の▲１▼の隙間に図２の▲２▼の引き込み布を前から後ろに通し本体に図２の▲３▼のマジックテープでとめる。【００１２】その後図２の▲３▼▲４▼▲５▼▲６▼のマジックテープで椅子本体にとめてカバーを椅子本体に固定する
【産業上の利用可能性】
【００１３】本考案は椅子とカバーを製造する産業で利用される
【符号の説明】
【００１４】▲１▼  隙間
▲２▼  マジックテープ
▲３▼  マジックテープ
▲４▼  マジックテープ
▲５▼  マジックテープ
▲６▼  マジックテープ
【図１】
0003171442.tif 000003
【図２】
0003171442.tif 000004
【図３】
0003171442.tif 000005
【図４】
0003171442.tif 000006
【手続補正書】
【提出日】平成23年8月29日(2011.8.29)
【手続補正２】
【補正対象書類名】実用新案登録請求の範囲
【補正対象項目名】全文
【補正方法】変更
【補正の内容】
【実用新案登録請求の範囲】
【請求項１】
カバーの内部に引き込む為の布を縫いつけ、カバーの端部分と引き込む為の布の
端部分にマジックテープ(登録商標)をつけ、椅子本体の背と座の接合部分に作られた隙間にカバー内部の引き込み布を通して引っ張り、面ファスナーでカバーを椅子本体にとめて固定されたカバーリング椅子。
(57)【要約】      （修正有）【課題】簡単、綺麗、安全にサーフボード等を修理し、不要な廃棄樹脂を出さないＦＲＰ簡易補修剤を提供する。【解決手段】紫外線硬化樹脂を刷毛付きの容器に入れる。【選択図】図１
0003171450.tif 000002
【実用新案登録請求の範囲】
【請求項１】
サーフボード等の成形物の補修を簡単で綺麗に修理するために、紫外線硬化樹脂を刷毛付きのビンに注入した物
【考案の詳細な説明】
【技術分野】
【０００１】本考案は、サーフボード等の成形物の補修を簡単で綺麗、安全に修理するためのものである
【背景技術】
【０００２】従来の補修剤は樹脂に硬化剤を混ぜてから補修し補修後に削るなど、手間がかかり又空気が入ったり補修部から流れたりして素人には上手く補修する事ができなかった。更に手を汚さずには作業が行えなかった
また、補修のために使う樹脂が余り廃棄しなくてはならず環境にも悪かった
刷毛の付いた接着剤は、従来からあるが紫外線硬化樹脂を刷毛の付いたビンに入れることでサーフボードの補修の様な全く違う用途に使えるようにした。
【考案の開示】
【考案が解決しようとする課題】
【０００３】解決しようとする問題点は、不要な廃棄樹脂を出さず簡単に補修が出来るシステムを作る事である
【課題を解決するための手段】
【０００４】本考案は紫外線硬化型樹脂を刷毛の付いたビンに注入し、補修部に刷毛で樹脂を塗り太陽光などの紫外線を当て硬化させるだけで修理が完了する。
【考案の効果】
【０００５】本考案の刷毛付きのビンに注入されているため、手を汚さない。
使用後は刷毛を樹脂の入ったビンに戻すだけなので洗う必要が無く、不用な樹脂を廃棄する事も無い
弱粘性の樹脂なので硬化する前に時間をおけば、自然と平坦になり、削ったり磨いたりせずとも綺麗な仕上がりになる。
【考案を実施するための最良の形態】
【０００６】本考案の補修剤をサーフボードなどの補修部を研磨し、紫外線の当たらない室内等で本製品の樹脂を塗る。
紫外線の当たらない場所で、樹脂が平坦になるのを待つ。
この際も一切樹脂に触れる事が無く安全で手を汚す事がない。
補修部を太陽光もしくは紫外線ライトに１〜１０分位当てると硬化する。
表面は自然に滑らかな美しい光沢を出すので、削ったり磨いたりしなくても、綺麗な仕上がりとなる。
【産業上の利用可能性】
【０００７】本考案は、補修部にガラスクロスを置いた後、樹脂を塗り、上からラップを被せて硬化させると、更に丈夫な補修が出来る。
【実施例】
【０００８】以下、添付図面に従って一実施例を説明する。１は紫外線硬化型樹脂、２は樹脂を入れるビン、３は刷毛の付いたキャップ
【図面の簡単な説明】
【０００９】
【図１】本考案のＦＲＰ簡易補修剤の正面図である
【図２】本補修剤の分解図である
【符号の説明】
【００１１】１  紫外線硬化型樹脂
２  遮光ビン
３  刷毛付き蓋
【図１】
0003171450.tif 000003
【手続補正書】
【提出日】平成23年9月2日(2011.9.2)
【手続補正１】
【補正対象書類名】明細書
【補正対象項目名】０００９
【補正方法】変更
【補正の内容】
【０００９】
【図１】本考案のＦＲＰ簡易補修材の正面図である
(57)【要約】      （修正有）【課題】デザイン性に優れ、且つ十分な強度をもったテーブル脚の構造を提供する。【解決手段】脚の主となる板を、ベース核にある３角形の突起物の各面にそれぞれ１枚ずつ計３枚を金具で組み付けることによりテーブル脚を構成する。さらに、テーブルとして製作する時は、上記のテーブル脚をテーブル天板の下に組み合わせて形成する。【選択図】図３
0003171441.tif 000002
【実用新案登録請求の範囲】
【請求項１】
図１の部材３本と図２の部材を金具で組み付けることによりひとつのテーブル脚を完成させる
【請求項２】
テーブル天板と１本もしくは複数の請求項１で構成されるテーブル脚を組み合わせて１台の完成テーブルとする。
【考案の詳細な説明】
【技術分野】
【０００１】本考案は家具のテーブル脚の構造に関する。
【背景技術】
【０００２】従来の家具のテーブル脚では強度を重視するにあたりデザイン性に欠けていた
【先行技術文献】
【特許文献】
【０００４】
【特許文献１】
【非特許文献】
【０００５】
【非特許文献１】
【考案の概要】
【考案が解決しようとする課題】
【０００６】本考案は、従来の家具のテーブル脚にはないデザイン性を持ち、且つ十分な強度を得るテーブル脚の構造の開発。
【課題を解決するための手段】
【０００７】上記目的を達成するために、本考案は２種類４つの部材を組み合わせることによりひとつのテーブル脚を構成する。
【考案の効果】
【０００８】部材を組み合わせることで従来にないデザイン性を表すことができ、且つ十分な強度を得ることができる
【図面の簡単な説明】
【０００９】
【図１】本考案を実施するためのテーブル脚を構成する部材の図である
【図２】本考案を実施するためのテーブル脚を構成する部材の図である
【図３】本考案を実施するためのテーブル脚の完成図である
【考案を実施するための形態】
【００１０】以下本考案の実施の形態を図に基づいて説明する
【実施例】
【００１１】図１の部材３本と図２の部材を金具を用いて組み付ける
【産業上の利用可能性】
【００１３】本考案は家具のテーブル脚を製造する産業で利用される
【符号の説明】
【００１４】▲１▼図１の部材
▲２▼図２の部材
▲３▼組み立て金具
【図１】
0003171441.tif 000003
【図２】
0003171441.tif 000004
【図３】
0003171441.tif 000005
【図４】
0003171441.tif 000006
【手続補正書】
【提出日】平成23年8月29日(2011.8.29)
【手続補正１】
【補正対象書類名】実用新案登録請求の範囲
【補正対象項目名】全文
【補正方法】変更
【補正の内容】
【実用新案登録請求の範囲】
【請求項１】
脚の主となる板を、ベース核にある３角形の突起物の各面にそれぞれ１枚ずつ
計３枚を金具で組み付けることにより完成されるひとつのテーブル脚。
【請求項２】
テーブル天板と１本もしくは複数の請求項１で記載のテーブル脚を
組み合わせて完成される１台のテーブル。
【手続補正２】
【補正対象書類名】明細書
【補正対象項目名】０００９
【補正方法】変更
【補正の内容】
【０００９】
【図１】本考案を実施するためのテーブル脚を構成する部材である主となる板の図である
【図２】本考案を実施するためのテーブル脚を構成する部材であるベース核の図である
【図３】本考案を実施するためのテーブル脚の完成図である
【手続補正３】
【補正対象書類名】明細書
【補正対象項目名】００１４
【補正方法】変更
【補正の内容】
【００１４】
（１）脚の主となる板
（２）脚の主となる板が組みつけられるベース核
【手続補正４】
【補正対象書類名】図面
【補正対象項目名】全図
【補正方法】変更
【補正の内容】
【図１】
0003171441.tif 000007
【図２】
0003171441.tif 000008
【図３】
0003171441.tif 000009
(57)【要約】      （修正有）【課題】炊飯器のお釜で洗米し、とぎ汁と共に洗い出される無駄なお米をなくし、さらに冬場の寒い時期にとぎ汁を捨てる際、手を添える事なく洗い流し出す米流出防止装置を提供する。【解決手段】炊飯器のお釜１に本体を取り付ける。内側フック２、外側フック３、さらに差し込み口４にお釜の返し部分を差し込む事により、この６点で固定させ、お米が流れ出ない様に受け皿５を通してお米は流出せず、とぎ汁のみ水抜き穴６より出す。【選択図】図２
0003171426.tif 000002
【実用新案登録請求の範囲】
【請求項１】
炊飯ジャーのお釜に取り付け、とぎ汁を洗い出す際、お米が一緒に流れ出ない所を特徴とする楽洗米。
【考案の詳細な説明】
【技術分野】
【０００１】  本考案は、炊飯ジャーに取り付け、洗米に関するものである。
【背景技術】
【０００２】  洗米時、とぎ汁を流し出す際、お米も一緒に流されてしまう事がある。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】  洗米時にとぎ汁を捨てる際、従来、手の平の隙間等から一緒にお米も流れ落ちる事がある。この無駄なお米を無くす事を解決しようとするものである。
【課題を解決するための手段】
【０００６】  洗米時に流れ落ちるお米は無駄である。この無駄なお米を無くす為、炊飯ジャーのお釜に取り付ける事により、前途の無駄なお米を無くそうとするものである。
【考案の効果】
【０００７】  上述の様に、本考案の楽洗米は、炊飯ジャーのお釜に取り付けて、洗い流す時のお米の流出を防ぎ、さらに寒い冬時期など洗い流す際、冷たい水に触れないで洗米をする事が出来る。
【図面の簡単な説明】
【０００８】
【図１】本考案の楽洗米の一実施例を示す正面図である。
【図２】本楽洗米の側面図、及び取り付けた時の図である。
【考案を実施するための形態】
【０００９】  お釜内側に引っ掛ける固定フック２本と、外側の支え２点で挟み込んで、さらにお釜の上部のふち廻りの返し部分に、本考案の溝部分を入り込ませる事により、６点で固定し、とぎ汁を流す時脱却しないように取り付ける物である。
【実施例】
【００１０】  以下、添付図面に従って一実施例を説明する。１はジャーのお釜である。そのお釜を２、３で挟み込み、さらに４の切り欠き部分をお釜の返し部分に差し込む事によって、お釜と本体を固定する。そして、固定した本体より、とぎ汁と共にお米が流出しないように５の受け皿で防ぐ。そして、とぎ汁は６の穴より水のみを出すしくみである。
【産業上の利用可能性】
【・・・・】
【符号の説明】
【００１１】  １  炊飯ジャーのお釜
２  内側固定フック
３  外側固定フック
４  差し込み口
５  受け皿
６  水抜き穴
【図１】
0003171426.tif 000003
【図２】
0003171426.tif 000004
【手続補正書】
【提出日】平成22年12月7日(2010.12.7)
【手続補正１】
【補正対象書類名】実用新案登録請求の範囲
【補正対象項目名】全文
【補正方法】変更
【補正の内容】
【実用新案登録請求の範囲】
【請求項１】
炊飯ジャーのお釜に本考案（図２の２で内部をさらに３のフックで外部を固定）を取り付け、とぎ汁を流しだす際にお釜を約４５度以上傾ける事になり、その際従来手を添えて流し出していたがお米も一緒に流れ出ていたものをこの本考案の受け皿（図２の５）でお米を受け、水抜き（図２の６）でとぎ汁のみを流し出し、さらに冬場の寒い時期に手を添えずに洗い流す所を特徴とする洗米時の米流出防止装置である。
【手続補正３】
【補正対象書類名】明細書
【補正対象項目名】全文
【補正方法】変更
【補正の内容】
【考案の詳細な説明】
【技術分野】
【０００１】  本考案は、炊飯ジャーに取り付け、洗米に関するものである。
【背景技術】
【０００２】  洗米時、とぎ汁を流しだす際、お米も一緒に流されてしまう事がある。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】  洗米時にとぎ汁を捨てる際、従来、手の平の隙間等から一緒にお米も流れ落ちる事がある。この無駄なお米を無くす事を解決しようとするものである。
【課題を解決するための手段】
【０００６】  洗米時に流れ落ちるお米は無駄である。この無駄なお米を無くす為、炊飯ジャーのお釜に取り付ける事により、前途の無駄なお米を無くそうとするものである。
【考案の効果】
【０００７】  上述の様に、本考案の洗米時の米流出防止装置は、炊飯ジャーのお釜に取り付けて、洗い流す時のお米の流出を防ぎ、さらに寒い冬時期など洗い流す際、冷たい水に触れないで洗米をする事が出来る。
【図面の簡単な説明】
【０００８】
【図１】  本考案の洗米時の米流出防止装置の一実施例を示す正面図である。
【図２】  本洗米時の米流出防止装置の側面図、及び取り付けた時の図である。
【考案を実施するための形態】
【０００９】  お釜内側に引っ掛ける固定フック２本と、外側の支え２点で挟み込んで、さらにお釜の上部のふち廻りの返し部分に、本考案の溝部分を入り込ませる事により、６点で固定し、とぎ汁を流す時脱却しないように取り付ける物である。
【実施例】
【００１０】  以下、添付図面に従って一実施例を説明する。１はジャーのお釜である。そのお釜を２，３で挟み込み、さらに４の切り欠き部分をお釜の返し部分に差し込む事によって、お釜と本体を固定する。そして、固定した本体よりとぎ汁と共にお米が流出しないように５の受け皿で防ぐ。そして、とぎ汁は６の穴より水のみを出すしくみである。
【産業上の利用可能性】
【・・・・】
【符号の説明】
【００１１】１  炊飯ジャーのお釜
２  内側固定フック
３  外側固定フック
４  差し込み口
５  受け皿
６  水抜き穴
【手続補正書】
【提出日】平成23年3月14日(2011.3.14)
【手続補正１】
【補正対象書類名】実用新案登録請求の範囲
【補正対象項目名】全文
【補正方法】変更
【補正の内容】
【実用新案登録請求の範囲】
【請求項１】
米流出防止装置を炊飯ジャーのお釜のふち廻りの上部から内側と外側にフックで挟み込んで取り付け固定させ、とぎ汁を洗い流す際にお釜からの米粒の流出を防止しより簡単に脱着が可能なところを特徴とする米流出防止装置。
【手続補正書】
【提出日】平成23年7月5日(2011.7.5)
【手続補正１】
【補正対象書類名】実用新案登録請求の範囲
【補正対象項目名】全文
【補正方法】変更
【補正の内容】
【実用新案登録請求の範囲】
【請求項１】
楕円形でコップ状の底面に小さな穴を開けた物を横向きにし上部より長い棒状のフックを左右から二本炊飯ジャーのお釜の内面を押さえ込んで下部よりも二本フックを出しお釜の外面を押さえ込んでさらにコップ状の横向きにした下面に切り欠き部をもうけこの切り欠き部はお釜のふち廻りに挟み込んで固定させあとは横向きにした下面を奥の小さな穴の水切り部まで洗米時にお米がこぼれ出ないよう受け皿とし、より簡単に脱着が可能なところを特徴とする米流出防止装置。
(57)【要約】      （修正有）【課題】表面に雪がこびりつかないスノーボード板を提供する。【解決手段】スノーボード板のトップ部２ａを雪が付着しない、もしくは、付着しにくいソール部２ｂと同じ素材で構成する。【選択図】図２
0003171430.tif 000002
【実用新案登録請求の範囲】
【請求項１】
トップ部がソール部と同じ素材で出来ていて、雪が付着しないもしくは付着しづらいスノーボード板
【請求項２】
トップ部がソール部の素材に準じた素材で出来ていて、雪が付着しないもしくは付着しづらいスノーボード板
【考案の詳細な説明】
【技術分野】
【０００１】  本考案は、表面に雪がこびり付かないスノーボードに関するものである。
【背景技術】
【０００２】  従来のスノーボード板は、裏面（以下ソールと呼ぶ）と表面（以下トップと呼ぶ）は違う素材で出来ている。ソールは、雪上を滑走にするに当たり、雪面との抵抗を無くし又、磨耗しづらい素材（ポリエチレンなど）で出来ているのに対して、トップは雪面に触れないので他の素材を使用し、見た目を華やかに仕上げている。
【考案の概要】
【考案が解決しようとする課題】
【０００３】  従来のスノーボード板で雪面を滑走していると、段々雪が固まってトップに付着して軽量に出来ているスノーボード板を重くしてしまう。【０００４】  また、雪が固まって付着すると雪深い所を滑走する際、スノーボード板が物理的に厚みが出てしまい滑走の抵抗になってしまう。【０００５】  従来のスノーボード板で滑走している人は、滑走途中に付着した雪を取る手間が生じる。【０００６】  また滑走終了時に、ほぼ毎回、付着した雪を除去する作業を要する。
【課題を解決する手段】
【０００７】  トップ部の素材をテール部（滑走面）と同じもしくは、それに準ずる雪が付着しづらい素材にする。
【考案の効果】
【０００８】  滑走中、スノーボード板に雪が付着しなくなる。または、付着しづらくなる。
【０００９】  滑走中、雪の付着がなくなる為、スノーボード板の重量が変わらない。
【００１０】  滑走中、雪の付着がなくなる為、スノーボード板の厚みが変わらない。
【００１１】  滑走中、雪の付着がなくなる為、スノーボード板の性能が変わらない。
【００１２】  滑走中、雪の付着がなくなる為、スノーボード板に付着した雪を除去する手間が無くなる。
【図面の簡単な説明】
【００１３】
【図１】従来のスノーボード板の平面図である。１ａはトップ部  １ｂはソール部
【図２】今回考案したスノーボード板の平面図である。２ａはトップ部  ２ｂはソール部
【考案を実施する為の形態】
【００１４】  トップ部の素材をソール部（滑走面）と同じ素材で製作する。また、昨今のソール部の素材は高価な物になる場合があるので、それに準じた付着しづらい素材で製作する。
【００１５】  雪を付着させない効果を上げるには、滑走面に塗るワックスをトップ部にも塗る。
【実施例】
【００１６】  実施例について図面を参照して説明する。
従来のスノーボード板は、トップ部（１ａ）とソール部（１ｂ）は違う素材で出来ているのに対して、今回考案のスノーボード板は、ソール部（２ｂ）の素材をトップ部（２ａ）にも使用して出来ているので、雪が付着しづらい。
また、２ａは２ｂの素材と全く同じ物とは限らず、性質が準ずるもの（雪が付着しづらい）ならば良い。【００１７】  スノーボード板のソール部は、雪上を滑走する為に雪が滑って付着しない素材（ポリエチレンなど）で出来ているのでその特性を生かし、トップ部にも利用する物である。
【産業上の利用可能性】
【００１８】  スノーボード板の性質上雪面を滑ることから、同様の性質を持つ競技の板（スキー・モノスキー・ファンスキー・スノースクートなど）にも効果が得られる。
【符号の説明】
【００１９】１ａ  従来のスノーボード板トップ部（表面）
１ｂ  従来のスノーボード板ソール部（裏面）
２ａ  今回考案したスノーボード板トップ部（表面）
２ｂ  今回考案したスノーボード板ソール部（裏面）
【図１】
0003171430.tif 000003
【図２】
0003171430.tif 000004
【手続補正書】
【提出日】平成23年6月15日(2011.6.15)
【手続補正１】
【補正対象書類名】実用新案登録請求の範囲
【補正対象項目名】全文
【補正方法】変更
【補正の内容】
【実用新案登録請求の範囲】
【請求項１】
トップ部が雪上を滑走するソール部と同じ素材（ポリエチレンなど）を部品として上下に挟んで製作し、滑走中にトップ部に雪が付着しないもしくは付着しづらいスノーボード板
【手続補正書】
【提出日】平成23年8月11日(2011.8.11)
【手続補正１】
【補正対象書類名】実用新案登録請求の範囲
【補正対象項目名】全文
【補正方法】変更
【補正の内容】
【実用新案登録請求の範囲】
【請求項１】
スノーボード板においてトップ部を雪が付着しないもしくは、付着しづらいソール部と同じ素材で構成したスノーボード板